(57)【要約】  本発明は、本質的に、芯出しはさみ口（８）のすぐ隣に配置され、半径方向に対してそれらから独立して動作し、回転軸に対しそれらから独立して回転可能な刃物付き刃物保持具（２３，２５，２６）の数を、好ましくは、少なくとも２個越える、何個かの芯出しはさみ口（８）を持つ芯出し装置を有するケーブル被覆装置に関する。刃物付き刃物保持具（２３，２５，２６）に対する芯出しはさみ口（８）の数や構成は、刃物が回転切断動作を行う場合、隣接する刃物付き刃物保持具（２３，２５，２６）や芯出し用のはさみ口（８）の相互作用において、位相のシフトが生じる。これは、被覆除去されるケーブルに生じる振動の減少や相殺の効果を有し、このようにして切断の精度が高まる。刃物および芯出しはさみ口に関する特殊な形状は、コンピュータを用いた制御とともに開示される。
2007511198.tif 000002
【特許請求の範囲】
【請求項１】
芯出しはさみ口（８）のすぐ隣に配置され、半径方向に対してそれらから独立して動作し、回転軸に対しそれらから独立して回転可能な刃物付き刃物保持具（２３，２５，２６）の数を越える何個かの芯出しはさみ口（８）を有する芯出し装置を備え、好ましくは、一様な第１の角度は、隣接する芯出しはさみ口（８）間に形成され、さらに好ましくは、一様な第２の角度は、隣接する刃物付き刃物保持具（２３，２５，２６）間に形成されるケーブル被覆除去装置において、
芯出しはさみ口（８）の数および／または刃物付き刃物保持具（２３，２５，２６）の数は奇数であり、第１の角度は、第２の角度の完全な倍数ではないことを特徴とするケーブル被覆除去装置。
【請求項２】
芯出しはさみ口（８）のすぐ隣に配置され、半径方向に対してそれらから独立して動作し、回転軸に対しそれらから独立して回転可能な刃物付き刃物保持具（２３，２５，２６）の数を越える何個かの芯出しはさみ口（８）を有する芯出し装置を備えるケーブル被覆除去装置において、
回転切断の動作の間において、刃物付き刃物保持具（２３，２５，２６）に関連した芯出し用のはさみ口（８）の方向、数および構成は、被覆除去されるケーブルに生じる振動の減少や相殺の効果を有する、隣接する刃物付き刃物保持具や芯出し用のはさみ口の相互作用において位相のシフトをもたらし、このようにして切断の精度を高めることを特徴とするケーブル被覆除去装置。
【請求項３】
請求項１又は２に記載のケーブル被覆除去装置であって、芯出しはさみ口（８）の数は、刃物付き刃物保持具（２３，２５，２６）の数を少なくとも２つ越え、および／または、それらの数は公約数により分割可能ではないことを特徴とするケーブル被覆除去装置。
【請求項４】
請求項１乃至３のいずれか１に記載のケーブル被覆除去装置であって、特に停止時において、多くとも一つの単体の芯出しはさみ口（８）は、ケーブルの軸方向において、刃物付き刃物保持具（２３，２５，２６）と整列していることを特徴とするケーブル被覆除去装置。
【請求項５】
請求項１乃至４のいずれか１に記載のケーブル被覆除去装置であって、特に停止時において、多くとも一つの単体の芯出しはさみ口（８）は、図の面内から見た場合、ケーブルの軸または刃物付き刃物保持具の回転軸が図の面に対して垂直であるときに、ケーブルの半径方向に刃物付き刃物保持具（２３，２５，２６）と整列していることを特徴とするケーブル被覆除去装置。
【請求項６】
請求項１乃至５のいずれか１に記載のケーブル被覆除去装置であって、芯出しはさみ口（８）は、ねじりに対して剛に製作されていることを特徴とするケーブル被覆除去装置。
【請求項７】
請求項１乃至６のいずれか１に記載のケーブル被覆除去装置であって、芯出しはさみ口（８）は、回転軸に対して、好ましくは、刃物付き刃物保持具（２３，２５，２６）の回転方向と逆の方向に回転可能であるように製作されていることを特徴とするケーブル被覆除去装置。
【請求項８】
請求項１乃至７のいずれか１に記載のケーブル被覆除去装置であって、刃物付き刃物保持具（２３，２５，２６）は、芯出し装置と被覆除去されるケーブルの端部との間の作業位置に設けられていることを特徴とするケーブル被覆除去装置。
【請求項９】
請求項１乃至８のいずれか１に記載のケーブル被覆除去装置であって、刃物付き刃物保持具（２３，２５，２６）のある位置が特定でき、芯出しはさみ口（８）と同様に刃物保持具（２３，２５，２６）が、および追加的なさらなるケーブル被覆除去ステーションと同様に他の第２の芯出し、緊張、またはつかみ装置が、構成され、１つのケーブル端部が刃物付き刃物保持具（２３，２５，２６）の作業領域に、その軸に対して半径方向に、側面から挿入可能であることを特徴とするケーブル被覆除去装置。
【請求項１０】
請求項１乃至９のいずれか１に記載のケーブル被覆除去装置であって、芯出しはさみ口（８）または刃物付き刃物保持具（２３，２５，２６）は、それぞれ一つの面内に設けられ、刃物のエッジの他のポイント、または芯出し面の他のラインは、ケーブルのそれぞれの直径と関連するか、またはケーブルと接して設けられることを特徴とするケーブル被覆除去装置。
【請求項１１】
請求項１乃至１０のいずれか１に記載のケーブル被覆除去装置であって、芯出しはさみ口（８）は、それぞれ隣接する芯出しはさみ口（８）の接触線にそって滑るための凹部をそれぞれ有していることを特徴とするケーブル被覆除去装置。
【請求項１２】
請求項１乃至１１のいずれか１に記載のケーブル被覆除去装置であって、刃物付き刃物保持具（２３，２５，２６）は、それぞれ隣接する刃物付き刃物保持具（２３，２５，２６）にそって滑るための凹部をそれぞれ有していることを特徴とするケーブル被覆除去装置。
【請求項１３】
請求項１乃至１２のいずれか１に記載のケーブル被覆除去装置であって、芯出しはさみ口（８）の数と刃物付き刃物保持具（２３，２５，２６）の数とには、公約数がないことを特徴とするケーブル被覆除去装置。
【請求項１４】
請求項１乃至１３のいずれか１に記載のケーブル被覆除去装置であって、刃物付き刃物保持具（２３，２５，２６）は、少なくとも２つの異なるケーブル層が切断でき、または２つの異なる直径が挿入可能なように、刃物付き刃物保持具（２３，２５，２６）を動作させる第１駆動手段により半径方向に動作され、少なくとも２つの半径方向に異なる位置が入力され記憶されるため、および少なくとも第１駆動手段を制御するために、電子手段が設けられることを特徴とするケーブル被覆除去装置。
【請求項１５】
請求項１乃至１４のいずれか１に記載のケーブル被覆除去装置であって、ケーブル被覆除去装置は、少なくとも２つのケーブル層を切断するために刃物付き刃物保持具（２３，２５，２６）を保持する刃物フランジ（１２）を有し、第２駆動手段は、ケーブルに関して少なくとも２つの異なる事前に選択可能な位置に、ケーブルに対して軸方向に移動させ、少なくとも２つのケーブル層を除去するために設けられ、そして少なくとも２つの異なる軸方向の位置が記憶されるため、および少なくとも第２駆動手段を監視するために電子手段を備えることを特徴とするケーブル被覆除去装置。
【発明の詳細な説明】
【技術分野】
【０００１】
本発明は、ケーブル被覆除去装置に係り、刃物付き刃物保持具の数よりも少なくとも２つを超える数であり、刃物保持具にほぼ隣接して設けられ、半径方向に刃物保持具から独立して動作し、回転軸に対して刃物保持具から独立して回転する、何個かの芯出しはさみ口を有する芯出し装置を備える。
【背景技術】
【０００２】
このような構成は、国際特許出願ＷＯ−Ａ−９８１３９０７の図２１、及び図２８から図３２に公開されている。そこでは、連続ケーブル処理装置の部品として、「回転箱（ｒｏｔａｔｉｖｅ ｂｏｘ）」が記載されている。この回転箱は、同軸ケーブルについてのケーブル被覆除去処理を行うために、ケーブル被覆除去処理機に挿入されている。
【０００３】
この公知の先行技術（国際特許出願ＷＯ−Ａ−９８１３９０７の図２１、及び図２８から図３２参照）において、中空のはさみ口の軸は、固定されたスリーブにより取り付けられ、その軸は、ピンを通じて４つの芯出しはさみ口にかみ合わされた螺旋フランジ上の歯車にトルクを伝達する。芯出しはさみ口は、芯出しはさみ口の相互に接近、または相互に離反する移動に影響するはさみ口ガイドに案内される。２つの刃物は、はさみ口の軸と同軸の刃物ガイドに案内される。スピンドルは、楔形部材を長手方向に運ぶ。円筒形のピンは、楔が回転するのを固定する。第２歯車の回転は、楔の軸方向移動に影響する。この移動は、刃物付き刃物保持具に対して、閉める方向または開ける方向に機能する。
【０００４】
４つの芯出しはさみ口および２つの刃物付き刃物保持具という構成の使用は、極めて成功であることが証明されており、達成可能な切断の品質は非常に良い。また、同種の構成は、本出願人“ＭＰ  ８０１５”により、他の構造に多年にわたり用いられている。公知の構造ではケーブル径の下限において所望の精度に達しないため、切断精度を改善するための徹底した試みが行われた。発明者は、幅広い研究により、これまで主張された意見に反して、芯出しはさみ口は、ケーブルの芯を出すことができるが、特に薄いケーブルでは、刃物がそれらの刃物保持具において、芯出しに反して動く傾向があり、ケーブルは、２つの刃物により変形してほとんど楕円を形成し、刃物から横方向に逃げる傾向（楕円効果）が生じることを発見した。さらに、幅広い観察と考察により、ケーブルの切断領域に生じる驚くべき振動が明らかになり、それは、一回のアライアメントにおいて、刃物と芯出しはさみ口との同時に生じる重ね合わせの繰り返しによるリズムから起きる。
【０００５】
【特許文献１】特表平１１−５１４８３５号公報
【発明の開示】
【発明が解決しようとする課題】
【０００６】
これらの新たな、そして創造的な発見は、精度が向上され、最初に確認された公知の構成の不利な効果は除去されるかたちで、公知の機器の改良の新たな、そして創造的な目的となっている。
【０００７】
最初の発明のステップは、回転切断の間において、位相のシフトが、被覆除去されるケーブルに生じる振動の減少や相殺の効果を有する、隣接する刃物付き刃物保持具や芯出し用のはさみ口の相互作用に影響されるということで、刃物付き刃物保持具との関係で芯出し用のはさみ口の方向、数および構成に適合することを含み、このようにして切断の精度が高められる。
【０００８】
同時に、発明者は、さらに初めて下記のことを確認した：本来弾性的な外部被覆を有するケーブルを掴むことで、２つの刃物で構成した場合と対照的に、芯出し時において、ケーブルの断面の多角形変形（多角形効果）が生じる。この断面は、もともと円形であり、この変形によりほとんど多角形となり、「角部」が芯出しはさみ口同士の間隙に形成される。この形成の結果、しかしながら、刃物付き刃物保持具がケーブルをその周囲に沿って切断する際に、刃物付き刃物保持具に発生する切断力もまた変動する。しかし、この切断力の変動は、結果として全体の構造またはそれらの部分に、脈動した、リズミカルな負荷となり、まず刃物から始まり、保持具を経由し、マウンティング、芯出しはさみ口を通じ、ケーブルを経由して刃物付き刃物保持具に戻る。発明者による新たな発見によると、この脈動負荷は、薄いケーブルおよびそれに対応した小さな刃物付き刃物保持具、芯出しはさみ口、およびその周囲の機械構造の場合に特に顕著である。この場合、その装置は、有限の剛性を有するに過ぎないことに留意すべきである。しかし、ケーブルの被覆除去の品質は、また切断力の波動、周波数、および振幅に依存する。
【０００９】
最初の対策は、芯出しにおいて支持点の数を増加することであろう。支持点間の脈動負荷の振幅は、そのことで減少するが、より広範囲な機器またはより多くの部品を費やさねばならない。
【００１０】
しかし、発明者は、さらに、力の方向があり、ケーブルの外層が丸みを欠く（多角形効果）ことにより、周期的な増幅の変動が生じ、その振幅は好ましくなく機械構造に付加され、切断の幾何学的な変形（精度不足）となり得ることを発見した。このように、刃物付き刃物保持具の波動する力の変動の振幅が、増幅したり蓄積したりできず、むしろ相殺する効果を有する構造を見つけることは、さらなる発明の目的である。このケースでは、力の脈動は、できる限り周期的に発生させず、最大値に備えて最小値に納めることを可能とすべきである。これは、複数の工具による本発明により、特に、同時ではなく連続して生じる多角形効果により生じる、より高い切断力によりケーブルの範囲を処理する刃物付き刃物保持具により達せられる。振動の領域が再発生する効果は、処理する場所の丸みの欠落それ自体がさらに振動を励起することと同時に避けるべきである。本発明により、芯出しはさみ口および刃物付き刃物保持具の数の比が非整数であることは、相互の位相の位置での個々の刃物付き刃物保持具の振動をシフトさせ、このことで増幅する重ね合わせを避けることに適している。
【課題を解決するための手段】
【００１１】
総てのこれらの新たな或いは創造的な目的は、発明に係る芯出しはさみ口および刃物付き刃物保持具の比についての新たな構成により解決され、３つの刃物付刃物保持具に対して５つの芯出しはさみ具が、経済的で最適な比であると認識された。３つに対する４つという比によっても、すでに改善がなされているが、多角形効果に関する力のばらつきは、５つの芯出しはさみ口よりも大きい。３つに対する６つという比は、再発生の効果を生じ得るし、３つに対する７つという比は、既にはさみ口の制御に関して非常に複雑となる。例えば、４つに対する７つという比は、多すぎる。
【００１２】
刃物付き刃物保持具を、好ましくは３つに制限することは、刃物の形状から生じる誤差による偏差のリスクについて、発明に基づいて確立された事実に一致し、複数の刃物付き刃物保持具は、さらに複数の刃物の切断が同じ面に正確に置かれないというリスクが増大し、その結果、切断面の精度が、上述したこととは独立した、この理由により品質のロスを被り得る。
【００１３】
同時に、発明者は、また従来の２つの刃物付き刃物保持具（楕円効果）と比較し、３つの刃物を有するケーブルは、付加的に切断力により芯出しされ、ケーブルの丸みは切断力により、より影響されないことを発見した。本発明に係る発見により、楕円の絶対的な変形は、三角形状の場合のそれよりも大きい。これらの付加的な効果は、同様に本発明による機器の作業の品質を高める（多角形効果は楕円効果を打ち負かす）。
【発明の効果】
【００１４】
本発明によると、重ね合わせは分数（小数）比を用いることで、最もよく回避される。芯出しはさみ具の数は刃物付き刃物保持具の数の整数倍であってはならない。３つに対して６つであることは、ケーブルの波形に対して３つの刃物が同じ位相位置であることを意味し、混乱させる力の脈動が増幅することである。４つに対して５つであることは、個々の力の脈動の連続的なシリーズをもたらし、それによる重ね合わせは少ない。４つに対する６つは、整数ではない；しかし、２つの刃物は、常に同じ位相にあり、２つは、正確に反対の位相にある。全体としては、この比は、このように規則的すぎ、従って、２つの力のパルスは、同期して形成され、相互の相殺が十分ではないことから、好ましくは本発明により回避される。
【発明を実施するための最良の形態】
【００１５】
本発明の更なる展開は、図、図の説明、及び従属クレームにおいて規定される。
【００１６】
参照リストは、本開示の一部を構成する。
【００１７】
本発明は、図を参照した詳細において、象徴的に或いは例示的に説明される。
【００１８】
図は、相互に関連しまた重複して記載されている。同様な構成要素には同様な参照番号が示され、異なるインデックスの参照番号は、同様な、或いは同様な機能を有する構成要素を示す。
【００１９】
図１−３は、本発明に係る構造を示し、既知の「回転箱（ｒｏｔａｔｉｖｅ ｂｏｘ）」と比較される新型の「小型同軸箱（ｍｉｃｒｏ ｃｏａｘ ｂｏｘ）」は、実質的により薄いケーブルに誤差なく高精度の被覆除去をもたらす。
【００２０】
剛体である主軸５周りに設けられる第１ベルト滑車４は、モータにより駆動される歯付きベルトにより制御される。第１ベルト滑車４は、望ましく調整されたトルクを、調節可能な安全な摩擦クラッチを経由して、芯出しはさみ口８とピンによりかみ合うディスクカムシャフト２４／第１螺旋フランジ４１のそれぞれに伝達する。芯出しはさみ口８は、芯出しフランジ７にガイドされるため、芯出しはさみ口には、ディスクカムシャフト２４／第１螺旋フランジ４１の回転により、相互に接近し、または離反する滑りが生じる。芯出しはさみ口の望ましいトルクまたは力は、第１ナット２を調整し、スプリング２７に初期張力を導入することで達成される。
【００２１】
切断力は、芯出しはさみ口８の接触圧を通じてケーブル被覆の外周に作用する。芯出しはさみ口８は、断面がＬ型に形成され、その結果、それらは、非常にコンパクトな設計となり、それにもかかわらず、被覆除去されるケーブルに対し、広範囲な芯出し、または掴み（ｃｌａｍｐ）面を提供する。それらの端部は、刃物に対しすぐ隣にまで突き出している。それらがＬ型であることで、それらが総てのタイプのガイドに自由な位置を提供する。
【００２２】
第２螺旋フランジ１１は、第１ベルト滑車４と同軸に調節され、第２ベルト滑車６を、２つのボールベアリング１上に支える。また、第２螺旋フランジ１１は、ボールベアリング３７によりヘッド部材１０を支える。第２ベルト滑車６及びヘッド部材１０は、互いに独立し、選択的に、歯付きベルトにより、区別された方法で駆動する。刃物付き刃物保持具２３，２５，２６は、ヘッド部材１０に固定された刃物フランジ１２に対し、半径方向に移動可能に設置される。刃物付き刃物保持具２３，２５，２６に固定され、第２螺旋フランジ１１にかみ合う円筒状ピン３２により、第２ベルト滑車６とヘッド部材１０との相対的な動きは、刃物付き刃物保持具２３，２５，２６が相互に接近、または離反する滑りを発生し、このようにして、それらに閉じる方向または開く方向に作用する。他の当業者に知られた刃物付き刃物保持具の開閉機器は、また、本発明の範囲に入る。相対的な動きは、第２ベルト滑車６またはヘッド部材１０の作動時において、速度の差により発生される。
【００２３】
図４は、それぞれのケースで、隣接する刃物付き刃物保持具２３，２５，２６間、及び隣接する芯出しはさみ口８間に生じる角度の一様性、及びそれぞれのケースで、刃物付き刃物保持具２３，２５，２６、及び芯出しはさみ口８間で生じ得る一様でない角度を示す。
【００２４】
図５及び図６は、先行技術、および本発明の好ましい実施形態についての曲線図を示し、それぞれ、ケース１は、４つの芯出しはさみ口と２つの刃物付き刃物保持具を用いた試験であり、ケース２は、５つの芯出しはさみ口と３つの刃物付き刃物保持具を用いた試験であり、より少ない支持点を持つケース１の半径方向の偏差（Δｒ）は、ケース２よりも小さい。このように、切断力（ΔＦ；それぞれの刃の一つの曲線）の変動は、また、第２ケースにおいてより小さい。縦座標（レベル）のスケールは、任意であり、一方、横座標（アングルα）は、完全な１回転（＝２π）を備える。切断力の時間に関するグラフは、サイクルとなり、サイン（ｓｉｎｅ）関数として単純化して示されるが、これは前述のあるいは後述の記載に影響することはない。振動の重ね合わせの解析の際に、対象となる構造内のポイントにおいて、この仮定は同様に行われ、振動は、線形の重ね合わせにより付加できる。これが厳密に正しくない箇所において、特にある段階での振動の増幅との関係で、同様の定性的な表現を適用する。
【００２５】
これらの曲線は、詳細において以下のように解釈され得る：
ケース１：
第１曲線において、３６０度の間で、特に、２つの隣接する芯出しはさみ口のそれぞれのケースで（一つのｒｍａｘ）、および４つの芯出しはさみ口のそれぞれに対して隣接するそれぞれのケースで（一つのｒｍｉｎ）、２重の半径方向の偏差が４回得られる。式は、Δｒｍａｘ（α）：＝ｐ１（αｎ１）となる。第２曲線は、同じ３６０度の間で、第１刃物における力のグラフ示す。半径のより大きなこれらのポイントで、抵抗、従って力もまたより大きくなる。したがって、この曲線は、第１の曲線と同期して生じる。式は、ΔＦ１（α）：＝ｑ１（αｎ１）となる。第３曲線は、３６０度の間で、第２刃物における力のグラフを示す。これは、第１刃物に対して１８０度オフセットしているので、第１刃物と同様な力の変動特性を有し、同時である。第１と第２との脈動は付加され、合計した曲線の振幅は第２または第３曲線の２倍の値となる。式は、ΔＦ２（α）：＝ΔＦ１（α）となる。
【００２６】
ケース２：
第１曲線において、３６０度の間で、特に、２つの隣接する芯出しはさみ口のそれぞれのケースで（一つのｒｍａｘ）、および４つの芯出しはさみ口のそれぞれに対して隣接するそれぞれのケースで（一つのｒｍｉｎ）、２重の半径方向の偏差が５回得られる。ｒ偏差は、芯出しシステムのより多くの適用ポイントにより、必然的により小さくなるため、曲線の振幅が、ケース１の第１曲線よりもより小さくなる。芯出しはさみ口が無限の数であれば、ｒ偏差はゼロとなるであろう。式は、Δｒｍａｘ（α）：＝ｐ１（αｎ２）となる。第２曲線は、同じ３６０度の間で、第１刃物における力のグラフ示す。半径のより大きなこれらのポイントで、抵抗、従って力もまたより大きくなる。したがって、この曲線は、第１曲線と同期して生じる。ｒ偏差は第１ケースよりも小さくなるので、力の展開の差異は、また第１ケースよりも小さくなる。式は、ΔＦ１（α）：＝ｑ２（αｎ２）となる。第３曲線は、３６０度の間で、第２刃物における力のグラフを示す。これは、第１刃物に対して１２０度オフセットしているので、第１刃物に対して１２０度オフセットした同様な力のバリエーション特性を有し、同時である。力の変動曲線は、従って、第２曲線の値に関してオフセットされる。式は、ΔＦ２（α）：＝ｑ２ｓｉｎ［（α＋２π／３））ｎ２］となる。第４の曲線は総てに関して第３曲線と同様である。第１、第２、および第３刃物の脈動は、付加されてゼロとなり、合計された曲線における増幅はゼロに調整され、これは、力の脈動における量的な減少だけではなく質的な減少でもある。従って、我々は、第２の部分から第１曲線の周波数をカットするが、刃物を通じた力の重ね合わせはない。同様の効果が４つの芯出しはさみ口、およびΔｒの振幅がより大きなケース１の第１曲線の３つの刃のはさみ口にも生じ得る。式は、ΔＦ３（α）：＝ｑ２ｓｉｎ［（α＋４π／３））ｎ２］となる。
【００２７】
図７は、ケーブル端部が、どのように刃物付き刃物保持具（２３，２５，２６）の作業領域へ、側方からその軸の半径方向に挿入されるかを図示する。
【００２８】
本発明は、本質的に実施形態に関連し、このように、ケーブル被覆除去装置は、芯出しはさみ口のすぐ隣に配置され、半径方向に対してそれらから独立して動作し、回転軸に対しそれらから独立して回転可能な刃物付き刃物保持具（２３，２５，２６）の数を越える何個かの芯出しはさみ口を有する芯出し装置を備え、好ましくは、少なくとも２つであり、回転切断の動作の間において、刃物付き刃物保持具（２３，２５，２６）に関連した芯出し用のはさみ口（８）の方向、数および構成は、隣接する刃物付き刃物保持具（２３，２５，２６）や芯出し用のはさみ口（８）の相互作用において、位相のシフトを引き起こし、被覆除去されるケーブルに生じる振動の減少や相殺の効果を有し、このようにして切断の精度を高める。刃物および芯出しはさみ口に関する、およびコンピュータ制御された制御システムに関する詳細な実施形態は、また示されている。
【００２９】
本発明は、独立したケーブルの被覆除去装置として、または連続したケーブル処理プラントとして、最適に変更され操作されることが可能である。
【図面の簡単な説明】
【００３０】
【図１】本発明に係る、組立後の構造についての斜視図である。
【図２】図１に係る構造の斜視分解図である。
【図３】図１の発明に係る構造の断面図である。
【図４】隣接する芯出しはさみ口間の角度、及び隣接する刃物付き刃物保持具間の角度の概略図である。
【図５】ケース１（先行技術）での３つの曲線図である。
【図６】ケース２（本発明の望ましい実施形態）での４つの曲線図である。
【図７】本発明に係る、組立後の構造の特定の実施例についての斜視図である。
【符号の説明】
【００３１】
１  ボールベアリング、２  第１ナット、３  ブレーキフランジ、４  第１ベルト滑車、５  主軸、６  第２ベルト滑車、７  芯出しフランジ、８  芯出しはさみ口、９  芯出しカバー、１０  ヘッド部材、１１  第２螺旋フランジ、１２  刃物フランジ、１３  刃物カバー、１４  ガイド管、１５  ハンドル、１６  第２ナット、１７  第１スペーシングリング、１８  第２スペーシングリング、１９  真鍮ピン（ネジピンによる損傷を避ける）、２０  真鍮ピン（ネジピンによる損傷を避ける）、２１  真鍮ピン（ネジピンによる損傷を避ける）、２２  ベアリング、２３  第１刃物付き刃物保持具、２４  ディスクカムシャフト、２５  第２刃物付き刃物保持具、２６  第３刃物付き刃物保持具、２７  スプリング、２８  セットスクリュ（第２ナット１６の固定のため）、２９  セットスクリュ（ブレーキフランジ３の固定のため）、３０  セットスクリュ（ベルト滑車６の固定のため）、３２  円筒状ピン、３４  円筒状ピン、３５  平頭スクリュ、３６  平頭スクリュ、３７  ボールベアリング、３９  摩擦ベアリング、４０  せん断ワッシャ、４１  第１螺旋フランジ。
【図１】
2007511198.tif 000003
【図２】
2007511198.tif 000004
【図３】
2007511198.tif 000005
【図４】
2007511198.tif 000006
【図５】
2007511198.tif 000007
【図６】
2007511198.tif 000008
【図７】
2007511198.tif 000009
【手続補正書】
【提出日】平成19年1月26日(2007.1.26)
【手続補正１】
【補正対象書類名】特許請求の範囲
【補正対象項目名】全文
【補正方法】変更
【補正の内容】
【特許請求の範囲】
【請求項１】
芯出しはさみ口（８）のすぐ隣に配置され、半径方向に対してそれらから独立して動作し、回転軸に対しそれらから独立して回転可能な刃物付き刃物保持具（２３，２５，２６）の数を越える何個かの芯出しはさみ口（８）を有する芯出し装置を備え、好ましくは、一様な第１の角度は、隣接する芯出しはさみ口（８）間に形成され、さらに好ましくは、一様な第２の角度は、隣接する刃物付き刃物保持具（２３，２５，２６）間に形成されるケーブル被覆除去装置において、
芯出しはさみ口（８）の数および／または刃物付き刃物保持具（２３，２５，２６）の数は奇数であり、第１の角度は、第２の角度の完全な倍数ではないことを特徴とするケーブル被覆除去装置。
【請求項２】
芯出しはさみ口（８）のすぐ隣に配置され、半径方向に対してそれらから独立して動作し、回転軸に対しそれらから独立して回転可能な刃物付き刃物保持具（２３，２５，２６）の数を越える何個かの芯出しはさみ口（８）を有する芯出し装置を備えるケーブル被覆除去装置において、
回転切断の動作の間において、刃物付き刃物保持具（２３，２５，２６）に関連した芯出し用のはさみ口（８）の方向、数および構成は、被覆除去されるケーブルに生じる振動の減少や相殺の効果を有する、隣接する刃物付き刃物保持具や芯出し用のはさみ口の相互作用において位相のシフトをもたらし、このようにして切断の精度を高めることを特徴とするケーブル被覆除去装置。
【請求項３】
請求項１又は２に記載のケーブル被覆除去装置であって、芯出しはさみ口（８）の数は、刃物付き刃物保持具（２３，２５，２６）の数を少なくとも２つ越え、および／または、それらの数は公約数により分割可能ではないことを特徴とするケーブル被覆除去装置。
【請求項４】
請求項１乃至３のいずれか１に記載のケーブル被覆除去装置であって、特に停止時において、多くとも一つの単体の芯出しはさみ口（８）は、ケーブルの軸方向において、刃物付き刃物保持具（２３，２５，２６）と整列していることを特徴とするケーブル被覆除去装置。
【請求項５】
請求項１乃至４のいずれか１に記載のケーブル被覆除去装置であって、特に停止時において、多くとも一つの単体の芯出しはさみ口（８）は、図の面内から見た場合、ケーブルの軸または刃物付き刃物保持具の回転軸が図の面に対して垂直であるときに、ケーブルの半径方向に刃物付き刃物保持具（２３，２５，２６）と整列していることを特徴とするケーブル被覆除去装置。
【請求項６】
請求項１乃至５のいずれか１に記載のケーブル被覆除去装置であって、芯出しはさみ口（８）は、ねじりに対して剛に製作されていることを特徴とするケーブル被覆除去装置。
【請求項７】
請求項１乃至６のいずれか１に記載のケーブル被覆除去装置であって、芯出しはさみ口（８）は、回転軸に対して、好ましくは、刃物付き刃物保持具（２３，２５，２６）の回転方向と逆の方向に回転可能であるように製作されていることを特徴とするケーブル被覆除去装置。
【請求項８】
請求項１乃至７のいずれか１に記載のケーブル被覆除去装置であって、刃物付き刃物保持具（２３，２５，２６）は、芯出し装置と被覆除去されるケーブルの端部との間の作業位置に設けられていることを特徴とするケーブル被覆除去装置。
【請求項９】
請求項１乃至８のいずれか１に記載のケーブル被覆除去装置であって、刃物付き刃物保持具（２３，２５，２６）のある位置が特定でき、芯出しはさみ口（８）と同様に刃物保持具（２３，２５，２６）が、および追加的なさらなるケーブル被覆除去ステーションと同様に他の第２の芯出し、緊張、またはつかみ装置が、構成され、１つのケーブル端部が刃物付き刃物保持具（２３，２５，２６）の作業領域に、その軸に対して半径方向に、側面から挿入可能であることを特徴とするケーブル被覆除去装置。
【請求項１０】
請求項１乃至９のいずれか１に記載のケーブル被覆除去装置であって、芯出しはさみ口（８）または刃物付き刃物保持具（２３，２５，２６）は、それぞれ一つの面内に設けられ、刃物のエッジの他のポイント、または芯出し面の他のラインは、ケーブルのそれぞれの直径と関連するか、またはケーブルと接して設けられることを特徴とするケーブル被覆除去装置。
【請求項１１】
請求項１乃至１０のいずれか１に記載のケーブル被覆除去装置であって、芯出しはさみ口（８）は、それぞれ隣接する芯出しはさみ口（８）の接触線にそって滑るための凹部をそれぞれ有していることを特徴とするケーブル被覆除去装置。
【請求項１２】
請求項１乃至１１のいずれか１に記載のケーブル被覆除去装置であって、刃物付き刃物保持具（２３，２５，２６）は、それぞれ隣接する刃物付き刃物保持具（２３，２５，２６）にそって滑るための凹部をそれぞれ有していることを特徴とするケーブル被覆除去装置。
【請求項１３】
請求項１乃至１２のいずれか１に記載のケーブル被覆除去装置であって、芯出しはさみ口（８）の数と刃物付き刃物保持具（２３，２５，２６）の数とには、公約数がないことを特徴とするケーブル被覆除去装置。
【請求項１４】
請求項１乃至１３のいずれか１に記載のケーブル被覆除去装置であって、刃物付き刃物保持具（２３，２５，２６）は、少なくとも２つの異なるケーブル層が切断でき、または２つの異なる直径が挿入可能なように、刃物付き刃物保持具（２３，２５，２６）を動作させる第１駆動手段により半径方向に動作され、少なくとも２つの半径方向に異なる位置が入力され記憶されるため、および少なくとも第１駆動手段を制御するために、電子手段が設けられることを特徴とするケーブル被覆除去装置。
【請求項１５】
請求項１乃至１４のいずれか１に記載のケーブル被覆除去装置であって、ケーブル被覆除去装置は、少なくとも２つのケーブル層を切断するために刃物付き刃物保持具（２３，２５，２６）を保持する刃物フランジ（１２）を有し、第２駆動手段は、ケーブルに関して少なくとも２つの異なる事前に選択可能な位置に、ケーブルに対して軸方向に移動させ、少なくとも２つのケーブル層を除去するために設けられ、そして少なくとも２つの異なる軸方向の位置が記憶されるため、および少なくとも第２駆動手段を監視するために電子手段を備えることを特徴とするケーブル被覆除去装置。
【請求項１６】
少なくとも２つ、好ましくは３つの芯出しはさみ口（８）、及び少なくとも２つ又は３つの刃物（２３，２５，２６）を有し、それらは相互に接近し、少なくとも刃物（２３，２５，２６）は回転軸回りに回転可能で、ケーブルが処理される際に、回転軸はケーブル軸と同軸であるケーブル被覆除去装置において、
芯出しはさみ口（８）または刃物付き刃物保持具（２３，２５，２６）は、それぞれ前記軸に垂直な一つの面内に設けられ、刃物のエッジの他のポイント、または芯出し面の他のラインは、ケーブルのそれぞれの直径と関連するか、または前記ポイントのそれぞれは、電子制御されて前記ケーブルと接して設けられることを特徴とするケーブル被覆除去装置。
【請求項１７】
少なくとも２つ、好ましくは３つの芯出しはさみ口（８）、及び少なくとも２つ又は３つの刃物（２３，２５，２６）を有し、それらは相互に接近し、少なくとも刃物（２３，２５，２６）は回転軸回りに回転可能で、ケーブルが処理される際に、回転軸はケーブル軸と同軸であるケーブル被覆除去装置において、
刃物付き刃物保持具（２３，２５，２６）は、１つのケーブルの少なくとも２つの異なるケーブル層が切断でき、または１つのケーブルの２つの異なる直径が挿入可能なように、刃物付き刃物保持具（２３，２５，２６）を動作させる電子制御された第１駆動手段により半径方向に動作され、少なくとも２つの半径方向に異なる位置が入力され記憶されるため、および少なくとも第１駆動手段を制御するために、電子手段およびインターフェースが設けられることを特徴とするケーブル被覆除去装置。
【手続補正２】
【補正対象書類名】図面
【補正対象項目名】図５
【補正方法】変更
【補正の内容】
【図５】
2007511198.tif 000010
【手続補正３】
【補正対象書類名】図面
【補正対象項目名】図６
【補正方法】変更
【補正の内容】
【図６】
2007511198.tif 000011
【国際調査報告】
2007511198.tif 000012
2007511198.tif 000013
2007511198.tif 000014
2007511198.tif 000015